【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
第１の搬送管と、前記第１の搬送管内に不定形耐火物を気流によって送り込む気流搬入器と、前記第１の搬送管に接続されて前記第１の搬送管と共に前記不定形耐火物の気流搬送経路を構成する混練器であって、前記第１の搬送管と接続される導入口から前記不定形耐火物を導入し、気密容器内で攪拌して吐出口から吐出する前記混練器と、前記第１の搬送管内及び／又は前記混練器の気密容器内で、前記不定形耐火物に施工水を添加する第１の注水器と、前記混練器の吐出口に接続された第２の搬送管と、前記第２の搬送管に接続されたノズルとを備えた吹付け施工装置を用いる吹付け施工方法において、
前記吹付け施工装置が、前記第２の搬送管内及び／又は前記ノズル内で、前記混練器を通過した前記不定形耐火物と施工水との混練物にさらに施工水を添加する第２の注水器を備えており、（ａ）前記不定形耐火物に対し、前記第１及び第２の双方の注水器から注水を行いながら吹付け施工を行う工程と、（ｂ）前記第１及び第２の注水器のうち少なくとも第２の注水器における注水量を絞ることにより、前記不定形耐火物に対する全施工水の添加量を減少させる工程とを含むことを特徴とする不定形耐火物の吹付け施工方法。
【請求項２】
前記工程（ａ）では、前記第１の注水器からの注水量を前記不定形耐火物に対する外かけ３５質量％以下に抑えつつ、前記不定形耐火物に対して外かけ４０質量％以上の全施工水を添加する請求項１に記載の吹付け施工方法。
【請求項３】
前記工程（ｂ）では、前記第１及び第２の注水器のうち第２の注水器における注水量のみを絞る請求項１又は２に記載の吹付け施工方法。
【請求項４】
前記工程（ｂ）では、前記第２の注水器における注水量をゼロに絞ったのち、前記第２の注水器から圧縮エアーを供給する請求項１〜３のいずれかに記載の吹付け施工方法。
【請求項５】
前記工程（ａ）及び（ｂ）の双方において、前記第１の注水器からの注水量が、前記第２の注水器からの注水量よりも多い請求項１〜４のいずれかに記載の吹付け施工方法。
【請求項６】
不定形耐火物に、少なくとも耐火性粉体と結合剤とを含み、
前記耐火性粉体は、
アルミナ質、シリカ質、アルミナ−シリカ質、アルミナ−スピネル質、アルミナ−マグネシア質、アルミナ‐カーボン質、アルミナ‐炭化珪素質、アルミナ‐炭化珪素‐カーボン質、マグネシア質、マグネシア‐カーボン質等、カーボン質、炭化系素質、窒化珪素素質、ジルコニア質、カルシア質、ドロマイト質、クロム、クロム-マグネシア質、マグネシア‐ライム質、及びマグネシア-アルミナ質から選択される一種又は二種以上の組み合わせからなる材質を用い、
前記結合剤は、
熱間施工の場合は、燐酸塩、珪酸塩、樹脂又はピッチを用い、冷温間施工の場合は、アルミナセメント、水硬性遷移アルミナ、マグネシアセメント、燐酸塩又は珪酸塩を用いる請求項１から５のいずれかに記載の吹付け施工方法。
【請求項７】
前記不定形耐火物は、分散剤と硬化調整剤とを含み、
前記分散剤は、トリポリリン酸ソーダ、ヘキサメタリン酸ソーダ、ウルトラポリリン酸ソーダ等のアルカリ金属リン酸塩、ポリカルボン酸ソーダ等のポリカルボン酸塩、アルキルスルホン酸塩、芳香族スルホン酸塩、ポリアクリル酸ソーダ、及びスルホン酸ソーダから選択される一種以上を用い、
前記硬化調整剤は、
硬化促進剤として、消石灰、塩化カルシウム、アルミン酸ソーダ、及び炭酸リチウムから選択される一種以上を用い、硬化遅延剤として、硼酸、クエン酸、炭酸ソーダ、及び砂糖から選択される一種以上を用いる請求項６に記載の吹き付け施工方法。
【請求項８】
前記不定形耐火物に急結剤を添加して吹付ける場合、前記急結剤としては、消石灰や塩化カルシウムのカルシウム塩、珪酸塩、アルミン酸塩、炭酸塩、及び硫酸塩から選択される一種以上の粉体又は液体を用いる請求項６又は７に記載の吹付け施工方法。
【請求項９】
不定形耐火物に、少なくとも耐火性粉体と結合剤とを含み、
前記耐火性粉体は、
アルミナ質、シリカ質、アルミナ−シリカ質、アルミナ−スピネル質、アルミナ−マグネシア質、アルミナ‐カーボン質、アルミナ‐炭化珪素質、アルミナ‐炭化珪素‐カーボン質、マグネシア質、マグネシア‐カーボン質等、カーボン質、炭化系素質、窒化珪素素質、ジルコニア質、カルシア質、ドロマイト質、クロム、クロム-マグネシア質、マグネシア‐ライム質、及びマグネシア-アルミナ質から選択される一種又は二種以上の組み合わせからなる材質を用い、
前記結合剤は、
熱間施工の場合は、燐酸塩、珪酸塩、樹脂又はピッチを用い、冷温間施工の場合は、アルミナセメント、水硬性遷移アルミナ、マグネシアセメント、燐酸塩又は珪酸塩を用いる請求項１から５のいずれかに記載の吹付け施工方法で使用する吹付け材料。
【請求項１０】
前記不定形耐火物は、分散剤と硬化調整剤とを含み、
前記分散剤は、トリポリリン酸ソーダ、ヘキサメタリン酸ソーダ、ウルトラポリリン酸ソーダ等のアルカリ金属リン酸塩、ポリカルボン酸ソーダ等のポリカルボン酸塩、アルキルスルホン酸塩、芳香族スルホン酸塩、ポリアクリル酸ソーダ、及びスルホン酸ソーダから選択される一種以上を用い、
前記硬化調整剤は、
硬化促進剤として、消石灰、塩化カルシウム、アルミン酸ソーダ、及び炭酸リチウムから選択される一種以上を用い、硬化遅延剤として、硼酸、クエン酸、炭酸ソーダ、及び砂糖から選択される一種以上を用いる請求項９に記載の吹き付け材料。
【請求項１１】
前記不定形耐火物に急結剤を添加して吹付ける場合、前記急結剤としては、消石灰や塩化カルシウムのカルシウム塩、珪酸塩、アルミン酸塩、炭酸塩、及び硫酸塩から選択される一種以上の粉体又は液体を用いる請求項９又は１０に記載の吹付け材料。
【請求項１２】
第１の搬送管と、前記第１の搬送管内に不定形耐火物を気流によって送り込む気流搬入器と、前記第１の搬送管に接続されて前記第１の搬送管と共に前記不定形耐火物の気流搬送経路を構成する混練器であって、前記第１の搬送管と接続される導入口から前記不定形耐火物を導入し、気密容器内で攪拌して吐出口から吐出する前記混練器と、前記第１の搬送管内及び／又は前記混練器の気密容器内で、前記不定形耐火物に施工水を添加する第１の注水器と、前記混練器の吐出口に接続された第２の搬送管と、前記第２の搬送管に接続されたノズルとを備えた吹付け施工装置において、
前記第２の搬送管内及び／又は前記ノズル内で、前記混練器を通過した前記不定形耐火物と施工水との混練物にさらに施工水を添加し、かつその添加量を調整することができる第２の注水器を備えたことを特徴とする吹付け施工装置。
【手続補正２】
【補正対象書類名】明細書
【補正対象項目名】発明の名称
【補正方法】変更
【補正の内容】
【発明の名称】不定形耐火物の吹付け施工方法、吹付け材料及び吹付け施工装置
【手続補正３】
【補正対象書類名】明細書
【補正対象項目名】０００１
【補正方法】変更
【補正の内容】
【０００１】
本発明は、例えば、転炉や取鍋等の溶融金属容器のライニングの補修等に用いることができる不定形耐火物の吹付け施工方法、この方法の実施に用いることができる吹付け材料及び吹付け施工装置に関する。
【手続補正４】
【補正対象書類名】明細書
【補正対象項目名】００２１
【補正方法】変更
【補正の内容】
【００２１】
本発明の一観点によれば、第１の搬送管と、第１の搬送管内に不定形耐火物を気流によって送り込む気流搬入器と、第１の搬送管に接続されて第１の搬送管と共に不定形耐火物の気流搬送経路を構成する混練器であって、第１の搬送管と接続される導入口から不定形耐火物を導入し、気密容器内で攪拌して吐出口から吐出する混練器と、第１の搬送管内及び／又は混練器の気密容器内で、不定形耐火物に施工水を添加する第１の注水器と、混練器の吐出口に接続された第２の搬送管と、第２の搬送管に接続されたノズルとを備えた吹付け施工装置を用いる吹付け施工方法において、吹付け施工装置が、第２の搬送管内及び／又はノズル内で、混練器を通過した不定形耐火物と施工水との混練物にさらに施工水を添加する第２の注水器を備えており、（ａ）不定形耐火物に対し、第１及び第２の双方の注水器から注水を行いながら吹付け施工を行う工程と、（ｂ）第１及び第２の注水器のうち少なくとも第２の注水器における注水量を絞ることにより、不定形耐火物に対する全施工水の添加量を減少させる工程とを含むことを特徴とする不定形耐火物の吹付け施工方法が提供される。また、本発明の他の観点によれば、前記不定形耐火物の吹付け施工方法に使用される吹付け材料も提供される。
【手続補正５】
【補正対象書類名】明細書
【補正対象項目名】００２２
【補正方法】変更
【補正の内容】
【００２２】
さらに本発明の他の観点によれば、第１の搬送管と、第１の搬送管内に不定形耐火物を気流によって送り込む気流搬入器と、第１の搬送管に接続されて第１の搬送管と共に不定形耐火物の気流搬送経路を構成する混練器であって、第１の搬送管と接続される導入口から不定形耐火物を導入し、気密容器内で攪拌して吐出口から吐出する混練器と、第１の搬送管内及び／又は混練器の気密容器内で、不定形耐火物に施工水を添加する第１の注水器と、混練器の吐出口に接続された第２の搬送管と、第２の搬送管に接続されたノズルとを備えた吹付け施工装置において、第２の搬送管内及び／又はノズル内で、混練器を通過した不定形耐火物と施工水との混練物にさらに施工水を添加し、かつその添加量を調整することができる第２の注水器を備えたことを特徴とする吹付け施工装置も提供される。